(57)【要約】【課題】  発光体をメダル投入口から挿入するような不正行為を検知する。【解決手段】  フォトインタラプタ７５は、移送路４７を挟んで互いに対向配置された発光部７５ａと受光部７５ｂからなり、フォトインタラプタ７７も、移送路４７を挟んで互いに対向配置された発光部７７ａと受光部７７ｂからなる。発光部７５ａ，７７ａは、発光強度の波長分布が互いにほぼ同一で、例えば赤外ＬＥＤが用いられる。受光部７５ｂ，７７ｂは、受光強度の波長分布が互いにほぼ同一で、例えば赤外光の受光強度の大きいものが用いられる。また、受光素子７９，８１は、それぞれ受光強度の波長分布が受光部７５ｂ，７７ｂとほぼ同一で、例えば赤外光の受光強度の大きいものが用いられる。【選択図】  図５
2005270376.tif 000002
【特許請求の範囲】
【請求項１】
メダル投入口から投入されたメダルが正規のものか否かを選別し、正規のメダルをホッパーユニットへの移送路に導く遊技機のメダルセレクターにおいて、
前記移送路を挟んで互いに対向配置される発光部および受光部からなり、前記移送路を通過するメダルの枚数をカウントするフォトインタラプタと、
前記受光部が受光可能な波長の光を受光可能な少なくとも１個の異常検出用受光素子とを備え、
前記異常検出用受光素子が、前記発光部および受光部の少なくとも一方の近傍に、受光面が前記移送路を向くように配設されており、
前記発光部からの光が、前記異常検出用受光素子により受光されないように構成されていることを特徴とする遊技機のメダルセレクター。
【請求項２】
前記異常検出用受光素子が、前記移送路を挟んで両側にそれぞれ配設されていることを特徴とする請求項１に記載の遊技機のメダルセレクター。
【請求項３】
前記異常検出用受光素子の受光面と前記移送路との間に、集光用の部材が配設されていることを特徴とする請求項１または２に記載の遊技機のメダルセレクター。
【請求項４】
請求項１ないし３のいずれかに記載の遊技機のメダルセレクターと、
前記異常検出用受光素子が光を受光すると、異常と判定する判定手段とを備えたことを特徴とする遊技機。
【請求項５】
前記判定手段が異常と判定すると、その旨を報知する報知手段をさらに備えたことを特徴とする請求項４に記載の遊技機。
【発明の詳細な説明】
【技術分野】
【０００１】
この発明は、メダル投入口から投入されたメダルが正規のものか否かを選別し、正規のメダルをホッパーユニットへの移送路に導く遊技機のメダルセレクターおよびこのメダルセレクターを備えた遊技機に関する。
【背景技術】
【０００２】
スロットマシンなどの遊技機では、遊技者によりメダル投入口からメダルが投入されると遊技の開始が可能になっており、メダル投入口から投入されるメダルが正規のものか否かを選別するメダルセレクターがメダル投入口の内側に設けられている（例えば特許文献１参照）。この特許文献１に記載のメダルセレクターでは、２個のフォトセンサがメダルの移動方向に互いに近接して配置されている。そして、双方のフォトセンサの検出タイミングが正常なメダルの通過に合致しないときは、異常と判定するようにしている。
【０００３】
【特許文献１】特開平８−２４４３４号公報（[００４７]〜[００５２]）
【発明の開示】
【発明が解決しようとする課題】
【０００４】
しかしながら、上記従来の特許文献１に記載のメダルセレクターでは、フォトセンサが受光可能な波長の光を発する発光体をメダル投入口から挿入するような不正行為が行われても、これを検知することはできない。特に、フォトセンサが受光可能な波長の光を発する複数の発光体をメダル投入口から挿入するとともに、それらの発光体を所定のタイミングで点滅するような不正行為が行われると、フォトセンサが正規のメダルの通過と誤認し、メダルの投入枚数としてカウントしてしまうという問題が生じる。
【０００５】
本発明は、上記課題に鑑みてなされたもので、発光体をメダル投入口から挿入するような不正行為を検知することができる遊技機のメダルセレクターおよび遊技機を提供することを目的とする。
【課題を解決するための手段】
【０００６】
上記目的を達成するために、本発明にかかる遊技機のメダルセレクターは、メダル投入口から投入されたメダルが正規のものか否かを選別し、正規のメダルをホッパーユニットへの移送路に導く遊技機のメダルセレクターにおいて、前記移送路を挟んで互いに対向配置される発光部および受光部からなり、前記移送路を通過するメダルの枚数をカウントするフォトインタラプタと、前記受光部が受光可能な波長の光を受光可能な少なくとも１個の異常検出用受光素子とを備え、前記異常検出用受光素子が、前記発光部および受光部の少なくとも一方の近傍に、受光面が前記移送路を向くように配設されており、前記発光部からの光が、前記異常検出用受光素子により受光されないように構成されていることを特徴としている（請求項1）。
【０００７】
ここで、「前記受光部が受光可能な波長の光を受光可能」とは、受光強度が前記受光部と同一の波長分布の場合だけでなく、前記受光部の波長分布より広い波長分布の場合も含んでいる。すなわち、前記受光部が受光した旨の信号を出力するような波長の光は全て検出可能であることを意味している。
【０００８】
また、前記異常検出用受光素子が、前記移送路を挟んで両側にそれぞれ配設されているとしてもよい（請求項２）。
【０００９】
また、前記異常検出用受光素子の受光面と前記移送路との間に、集光用の部材が配設されているとしてもよい（請求項３）。
【００１０】
また、上記目的を達成するために、本発明にかかる遊技機は、請求項１ないし３のいずれかに記載の遊技機のメダルセレクターと、前記異常検出用受光素子が光を受光すると、異常と判定する判定手段とを備えたことを特徴としている（請求項４）。
【００１１】
また、前記判定手段が異常と判定すると、その旨を報知する報知手段をさらに備えたとしてもよい（請求項５）。
【発明の効果】
【００１２】
請求項１の発明によれば、フォトインタラプタの受光部が受光可能な波長の光を受光可能な少なくとも１個の異常検出用受光素子が、発光部および受光部の少なくとも一方の近傍に、受光面が移送路を向くように配設されており、フォトインタラプタの発光部からの光が、異常検出用受光素子により受光されないように構成されているため、フォトインタラプタの受光部が受光可能な波長の光を発する発光体をメダル投入口から挿入するような不正行為が行われても、これを容易に検出することができる。
【００１３】
また、請求項２の発明によれば、異常検出用受光素子が、移送路を挟んで両側にそれぞれ配設されているため、フォトインタラプタの受光部が受光可能な波長の光を発する発光体を、より確実に検出することができる。
【００１４】
また、請求項３の発明によれば、異常検出用受光素子の受光面と移送路との間に、集光用の部材が配設されているため、フォトインタラプタの受光部が受光可能な波長の光を発する発光体を、より確実に検出することができる。
【００１５】
また、請求項４の発明によれば、異常検出用受光素子が光を受光すると、異常と判定する判定手段を備えているため、発光体をメダル投入口から挿入するような不正行為を容易に識別することができる。
【００１６】
また、請求項５の発明によれば、判定手段が異常と判定すると、その旨を報知する報知手段をさらに備えているため、発光体をメダル投入口から挿入するような不正行為が行われると、その旨を遊技機の設置者に確実に知らせることができる。
【発明を実施するための最良の形態】
【００１７】
図１は本発明にかかる遊技機の一実施形態であるスロットマシンの外観を示す斜視図である。この実施形態におけるスロットマシン１は、例えば図１に示すように構成されている。即ち、このスロットマシン１では、筐体３の前面が前面パネル５により開閉自在に閉塞され、この前面パネル５のほぼ中央高さの位置に操作板７が配設されると共に、この操作板７の上方に正面板９が配設されている。
【００１８】
そして、この正面板９には横長矩形の表示窓１１が設けられている。また、表示窓１１の内側には左・中・右の回転リール１３Ｌ，１３Ｍ，１３Ｒ（図６参照）が配置され、表示窓１１からは、回転リール１３Ｌ，１３Ｍ，１３Ｒの図柄が上段・中段・下段の各々３個ずつ覗くように設定されている。更に、この操作板７には、内部に貯留されているクレジットメダルの枚数を減じてメダル投入に代えるためのベットスイッチ１５、各回転リールの回転を開始させるためのスタートスイッチ１７、左・中・右回転リール１３Ｌ，１３Ｍ，１３Ｒの回転をそれぞれ停止させるための左・中・右ストップスイッチ１９Ｌ，１９Ｍ，１９Ｒ、メダル投入口２１、およびクレジットメダルを払い出すための精算スイッチ２３が設けられている。
【００１９】
また、正面板９の上方のほぼ中央には、各種の入賞図柄が表示された説明パネル２５が設けられ、この説明パネル２５の上方には、例えばＬＥＤやネオンランプなどの光源が内蔵され遊技者に当選や入賞などを告知するための演出用発光部２７ａ，２７ｂが設けられている。また、操作板７の下方には、メダルの払出口３３や、この払出口３３から払い出されるメダルを受けるメダル受け３５が設けられている。
【００２０】
また、筐体３の内部の回転リール１３Ｌ，１３Ｍ，１３Ｒの下方には、メダルを払出口３３に排出するためのホッパーユニット３７（図６参照）が配設されている。また、前面パネル５の裏面側のメダル投入口２１付近には、以下に説明するメダルセレクター４１が配設されている。
【００２１】
図２および図３はそれぞれメダルセレクター４１の平面図および側面図である。メダルセレクター４１は、メダル投入口２１に投入されたメダルが正規のものか否かを選別して正規のメダルをホッパーユニット３７に導くものである。このメダルセレクター４１は、その上部を筐体３の前方向（図３中、左方）に少し傾斜して前面パネル５の裏面側に配設された金属板から成るベース板４３と、その上部の入口部分がベース板４３よりも上方に突出し、突出した入口部分が前面パネル５のメダル投入口２１に連通するように配設されてベース板４３の上部にねじ止めされた透明樹脂から成るメダル導入部材４５と、このメダル導入部材４５に連通してメダルの移送路４７を形成する金属板から成るガイド体４９と、ベース板４３の移送路４７部分に正規のメダル径より少し小さい幅に形成された平行四辺形状の開口５１と、移送路４７の出口部分のベース板４３がほぼ９０゜に折り曲げられて形成され、移送路４７から流れてくるメダルを受け止めてホッパーユニット３７に向けて落下させるための折曲片５３とを備えている。
【００２２】
また、図２に示すように、移送路４７の途中には、メダルブロッカー５５が設けられ、このメダルブロッカー５５は、リード線５７を介して電源供給されて励磁される電磁石５９と、支持板６０を支点に回転自在に支持され、その上端部とベース板４３とに両端が係止されたコイルバネ６１により上端部が前方に付勢され、電磁石５９の吸引によりコイルバネ６１の付勢に抗して下端部が筐体３の前方向に移動するほぼ四角形の変位体６３と、この変位体６３の下端に固着されて移送路４７の底面を構成する金属製のブロック体６５とを備えている。
【００２３】
尚、このブロック体６５は、変位体６３の下端に固着された基部６５ａと、基部６５ａに前方に屈曲して一体形成され基部６５ａよりも長尺で移送路４７の底面の主要部分を成す底部６５ｂとにより構成されている。ここで、底部６５ｂは断面Ｌ字状を有すると共にその先端部は屈曲し、図３に示すように、この屈曲部分６５ｃがベース板４３に形成された長孔６７に挿入されて配設されており、電磁石５９が非励磁の状態ではコイルバネ６１の付勢力によりブロック体６５は筐体３の後方向に付勢されるが、長孔６７に挿入された底部６５ｂの屈曲部分６５ｃが長孔６７の上部周縁のベース板４３前面に当接することにより、それ以上のブロック体６５の後方向への移動が規制されている。
【００２４】
そして、後述するセンサユニット７１により、予め定めた一遊技あたりの最大投入枚数（例えば３枚）とクレジットメダルの最大貯留枚数（例えば５０枚）との合計枚数が検出されると、このメダルブロッカー５５が作動され、それまで励磁状態にあった電磁石５９が励磁解除されてブロック体６５がコイルバネ６１の付勢により筐体３の後方向に移動し、これにより移送路４７の底面が少し下がるため、メダルの上部が開口５１の上部周縁のベース板４３に当接しなくなり、ベース板４３が図３に示すように傾斜していることも相俟って、メダルが開口５１から図２、図３中の矢印Ｘ方向に落下し、メダル受け３５に排出される。
【００２５】
また、正規のメダル径よりも小径のメダルが移送路４７に進入すると、この異径のメダルの上部が開口５１の上部周縁のベース板４３に当接しない上に、ベース板４３が上記したように傾斜していることから、異径メダルが移送路４７の途中で開口５１から図３中の矢印Ｘ方向に落下してメダル受け３５に排出されるようになっている。一方、正規のメダルが移送路４７に進入して出口付近に達すると、折曲片５３にメダルが衝突してその流れが一旦受け止められ、ホッパーユニット３７に向けて図２、図３中の矢印Ｙ方向に落下していく。
【００２６】
移送路４７のメダルブロッカー５５より出口側には、移送路４７を通過するメダルを１枚毎に検出するためのセンサユニット７１が配設されている。このセンサユニット７１は、移送路４７のメダルブロッカー５５の出口側に配設されていることから、正規のメダルの通過枚数を検出することとなる。
【００２７】
図４は移送路４７の出口側から移送路４７に沿って見たセンサユニット７１の側面図、図５は図４のＶ−Ｖ線の部分断面図である。図４、図５において、矢印Ｍは移送路４７におけるメダルの移動方向を示している。
【００２８】
このセンサユニット７１は、センサ基板７３上に、フォトインタラプタ７５，７７および受光素子７９，８１が実装されて構成されている。フォトインタラプタ７５は、移送路４７を挟んで互いに対向配置された発光部７５ａおよび受光部７５ｂからなり、フォトインタラプタ７７も同様に、移送路４７を挟んで互いに対向配置された発光部７７ａおよび受光部７７ｂからなる。発光部７５ａ，７７ａは、発光強度の波長分布が互いにほぼ同一で、この実施形態では例えば、赤外光を発する赤外ＬＥＤが用いられる。受光部７５ｂ，７７ｂは、例えばフォトダイオードやフォトトランジスタからなり、受光強度の波長分布が互いにほぼ同一で、この実施形態では例えば、赤外光の受光強度の大きいものが用いられる。また、受光素子７９，８１は、例えばフォトダイオードやフォトトランジスタからなり、それぞれ受光強度の波長分布が受光部７５ｂ，７７ｂとほぼ同一で、この実施形態では例えば、赤外光の受光強度の大きいものが用いられる。
【００２９】
図５に示すように、フォトインタラプタ７５，７７は、移送路４７の直ぐ両側に、メダルの移動方向Ｍに沿って所定間隔をおいて順に並んで配置されている。したがって、受光部７５ｂ，７７ｂからのメダル検出信号は、この所定間隔をメダルが移動するのに要する時間だけずれて出力されることとなる。また、フォトインタラプタ７５，７７の発光部７５ａ，７７ａおよび受光部７５ｂ，７７ｂは、それぞれ光出射部８３および光入射部８５の前方を除いて遮光部材８７で覆われており、受光部７５ｂは発光部７５ａからの光のみを、受光部７７ｂは発光部７７ａからの光のみを、それぞれ受光するように構成されている。また、この遮光部材８７によって、発光部７５ａ，７７ａからの光が受光素子７９，８１により受光されないように構成されている。
【００３０】
また、受光素子７９は、フォトインタラプタ７５の発光部７５ａとフォトインタラプタ７７の受光部７７ｂとの中間の後方に、光入射部（受光面）８９が移送路４７を向いて配設されている。また、受光素子８１は、フォトインタラプタ７５の受光部７５ｂとフォトインタラプタ７７の発光部７７ａとの中間の後方に、光入射部（受光面）８９が移送路４７を向いて配設されている。受光素子７９，８１は、いずれも遮光部材で覆われていないため、それぞれ移送路４７を含む周囲からの赤外光が受光できるようになっており、これによって、外部から挿入された発光素子からの光を確実に受光することができる。
【００３１】
図６はスロットマシン１の電気的構成を示すブロック図である。図６において、外部集中端子板１０１は、所定の制御信号や検出信号などを外部に出力するためのもので、筐体３の内壁に固定されている。メモリ１０３には遊技機用プログラムが格納されており、ＣＰＵ１０５は、この遊技機用プログラムにしたがって動作すると、遊技制御手段１０５ａ、演出制御手段１０５ｂ、判定手段１０５ｃおよび報知手段１０５ｄとして機能する。遊技には、一般的な遊技である通常遊技と、遊技者にとって通常遊技よりも有利な遊技である特別遊技（ボーナスゲーム）とがあり、遊技制御手段１０５ａはこれらの遊技を制御する。
【００３２】
通常遊技について簡単に説明すると、このスロットマシン１では、フォトインタラプタ７５，７７によりメダル投入口２１からのメダル投入が検出されるか、またはベットスイッチ１５の操作によりクレジットメダルの投入指示があると、ゲームが開始される。そして、ゲーム開始後にスタートスイッチ１７を操作すると、まず、当選か否かの抽選が行われ、ほぼ同時に、３個すべての回転リール１３Ｌ，１３Ｍ，１３Ｒの回転が開始する。その後に、３個のストップスイッチ１９Ｌ，１９Ｍ，１９Ｒのうちの１個を操作すると、当該ストップスイッチ１９Ｌ，１９Ｍ，１９Ｒに対応した回転リール１３Ｌ，１３Ｍ，１３Ｒの回転が停止する。そして、３個すべてのストップスイッチ１９Ｌ，１９Ｍ，１９Ｒを操作し終えると、３個すべての回転リール１３Ｌ，１３Ｍ，１３Ｒの回転が停止する。このとき、所定の図柄が所定の位置に停止すると入賞になり、ホッパーユニット３７により遊技者に対して所定枚数のメダルが払い出されるか、又は遊技者に対してリプレイなどの所定の利益が付与される。なお、メダルの払い出しに代えて、クレジットメダルとして内部に貯留されることもある。
【００３３】
演出制御手段１０５ｂは、遊技に関連する演出として、例えば抽選結果や入賞の有無などを遊技者に告知するために、演出用発光部２７ａ，２７ｂなどの動作を制御するもので、例えば各々の演出パターンに応じて演出用発光部２７ａ，２７ｂの光源などを一斉にあるいは個別に点滅させる。
【００３４】
判定手段１０５ｃは、フォトインタラプタ７５，７７の発光部７５ａ，７７ａをそれぞれ常に点灯させており、受光部７５ｂ，７７ｂから入力される信号を監視している。メダル投入口２１へのメダル投入が無い状態では、判定手段１０５ｃには、受光部７５ｂ，７７ｂから、それぞれ発光部７５ａ，７７ａからの光を受光している旨の受光信号が入力されている。そして、メダル投入口２１に投入されるメダルにより発光部７５ａ，７７ａからの光が遮断されると、その旨のメダル検出信号が受光部７５ｂ，７７ｂからそれぞれ入力される。このとき、上述したように、判定手段１０５ｃには、所定時間だけずれて、受光部７５ｂ，７７ｂからのメダル検出信号が入力される。この判定手段１０５ｃは、受光部７５ｂ，７７ｂからのメダル検出信号に基づき、メダル投入口２１に投入されたメダルの枚数をカウントする。
【００３５】
また、判定手段１０５ｃは、受光部７５ｂ，７７ｂから入力される信号に基づき、メダル投入の異常を判定する。すなわち、判定手段１０５ｃは、例えば受光部７５ｂからのメダル検出信号入力から所定時間経過しても受光部７７ｂからのメダル検出信号が入力されないときは、異常と判定する。また、受光部７７ｂからのメダル検出信号入力から所定時間経過しても受光部７５ｂからのメダル検出信号がオフにならないときは、異常と判定する。また、受光部７５ｂからのメダル検出信号オフから所定時間経過しても受光部７７ｂからのメダル検出信号がオフにならないときは、異常と判定する。また、受光部７５ｂより先に受光部７７ｂからのメダル検出信号が入力されると、異常と判定する。
【００３６】
また、判定手段１０５ｃは、受光素子７９，８１から赤外光を受光している旨の受光信号が入力されると、異常と判定する。ここで、上述したように、受光素子７９，８１により、フォトインタラプタ７５，７７の発光部７５ａ，７７ａからの光が検出されないように構成されているため、受光素子７９，８１が赤外光を受光するということは、メダル投入口２１から赤外光を発する何らかの発光体が不正に挿入されていることを意味する。そこで、受光素子７９，８１から赤外光を受光している旨の受光信号が入力されると、判定手段１０５ｃが異常と判定することにより、メダル投入口２１から赤外光を発する素子を挿入するような不正行為を検知することが可能になる。
【００３７】
報知手段１０５ｄは、判定手段１０５ｃが異常と判定すると、その旨の信号を外部集中端子板１０１を介して外部に出力するものである。
【００３８】
以上説明したように、この実施形態によれば、フォトインタラプタ７５，７７の近傍に、受光強度の波長分布がフォトインタラプタ７５，７７の受光部７５ｂ，７７ｂとほぼ同一の受光素子７９，８１を配設しているため、フォトインタラプタ７５，７７の受光部７５ｂ，７７ｂを誤認させるべく例えば赤外ＬＥＤなどの発光体がメダル投入口２１から移送路４７に挿入するような不正行為が行われた場合に、これを異常と判断して報知することが可能になる。
【００３９】
また、この実施形態によれば、フォトインタラプタ７５，７７の発光部７５ａ，７７ａおよび受光部７５ｂ，７７ｂは、光出射部８３および光入射部８５の前方を除いて遮光部材８７で覆うようにしているため、フォトインタラプタ７５，７７の発光部７５ａ，７７ａからの光が受光素子７９，８１により受光されることはない。このため、受光素子７９，８１が受光する光は、不正行為によるものと確実に言えることとなる。
【００４０】
また、フォトインタラプタ７５，７７のメダル移動方向Ｍにおける所定間隔を受光素子７９，８１の無い従来品と同一寸法にしておくと、フォトインタラプタ７５，７７からの信号に基づくＣＰＵ１０５の判定手段１０５ｃによる異常判定プログラムおよび枚数カウントプログラムは、従来のプログラムを流用することができる。
【００４１】
なお、本発明は上記実施形態に限定されるものではなく、その趣旨を逸脱しない限りにおいて上述したもの以外に種々の変更を行うことが可能である。例えば、上記実施形態では、移送路４７の直ぐ両側にフォトインタラプタ７５，７７を配設し、受光素子７９，８１をそれらの後方にそれぞれ配設しているが、受光素子７９，８１の配設位置はこれに限られない。例えば、図７に示すように、移送路４７の直ぐ両側に受光素子７９，８１を配設し、その後方にフォトインタラプタ７５，７７を配設するようにしてもよい。これによって、メダル投入口２１から不正に挿入された発光体からの光を受光素子７９，８１がより確実に受光することが可能になる。
【００４２】
また、図５、図７では、受光素子７９，８１をそれぞれメダルの移動方向Ｍにおいてフォトインタラプタ７５，７７の中間に配設しているが、これに限られない。例えば、メダル移動方向Ｍにおいてフォトインタラプタ７５の上流側またはフォトインタラプタ７７の下流側に、受光素子７９，８１の双方を配設したり、受光素子７９，８１のいずれか一方を上流側に配設するとともに他方を下流側に配設するようにしてもよい。この場合、例えば受光素子７９，８１をフォトインタラプタ７５の上流側に配設するようにすると、メダル挿入口２１から挿入された発光体を素早く検出することができるため好ましい。
【００４３】
また、例えば図８に示すように、受光素子７９，８１の光入射部８９の前方に、例えばアクリル樹脂やガラスなどの赤外光に透明な材質からなる導光板（集光用の部材）９１を配設するようにしてもよい。これによって、メダル投入口２１から不正に挿入された発光体からの光を受光素子７９，８１がより確実に受光することが可能になる。
【００４４】
また、上記実施形態では、移送路４７の両側に２つの受光素子７９，８１をそれぞれ配設しているが、これに限られず、移送路４７の片側のみに１つの受光素子を配設するようにしてもよい。
【００４５】
また、上記実施形態では、フォトインタラプタ７５，７７の発光部７５ａ，７７ａおよび受光部７５ｂ，７７ｂは、光出射部８３および光入射部８５の前方を除いて遮光部材８７で覆うようにしているが、これに限られない。例えば、発光部７５ａ，７７ａの光出射部８３の前方に集光レンズを配置し、発する光が受光部７５ｂ，７７ｂの光入射部８５にのみ入射するようにしてもよい。すなわち、フォトインタラプタ７５，７７の発光部７５ａ，７７ａからの光が、受光素子７９，８１によって受光されないような構成であればよい。
【００４６】
また、上記実施形態では、受光素子７９，８１は、それぞれ受光強度の波長分布が受光部７５ｂ，７７ｂとほぼ同一としているが、これに限られない。例えば受光素子７９，８１の受光強度が、受光部７５ｂ，７７ｂの波長分布より広い波長分布でもよい。すなわち、受光素子７９，８１が、受光部７５ｂ，７７ｂが受光した旨の信号を出力するような波長の光を全て検出可能であればよい。
【図面の簡単な説明】
【００４７】
【図１】本発明にかかる遊技機の一実施形態であるスロットマシンの外観を示す斜視図である。
【図２】メダルセレクターの平面図である。
【図３】メダルセレクターの側面図である。
【図４】移送路の出口側から移送路に沿って見たセンサユニットの側面図である。
【図５】図４のＶ−Ｖ線の部分断面図である。
【図６】スロットマシンの電気的構成を示すブロック図である。
【図７】異なる構成例を示すセンサユニットの部分断面図である。
【図８】さらに異なる構成例を示すセンサユニットの部分断面図である。
【符号の説明】
【００４８】
１…スロットマシン、２１…メダル投入口、３７…ホッパーユニット、４１…メダルセレクター、４７…移送路、７５，７７…フォトインタラプタ、７５ａ，７７ａ…発光部、７５ｂ，７７ｂ…受光部、７９，８１…受光素子（異常検出用受光素子）、８７…遮光部材、８９…受光素子の光入射部（受光面）、９１…導光板（集光用の部材）、１０５…ＣＰＵ、１０５ｃ…判定手段、１０５ｄ…報知手段
【図１】
2005270376.tif 000003
【図２】
2005270376.tif 000004
【図３】
2005270376.tif 000005
【図４】
2005270376.tif 000006
【図５】
2005270376.tif 000007
【図６】
2005270376.tif 000008
【図７】
2005270376.tif 000009
【図８】
2005270376.tif 000010